(57)【要約】【課題】外部のサーバから医用画像を取得する際に検索条件を入力する手間を低減し、読影作業を効率化する。【解決手段】本発明に係る医用画像管理装置１によれば、サーバ２から医用画像を取得する指示が操作部１４により入力された際に、制御部１１により、表示部１５に現在表示されている画面において読影対象の患者が指定されている状態であるか否かが判断され、読影対象の患者が指定されている状態であると判断された場合に、当該指定されている患者の患者情報を予め検索条件として条件入力欄１５２ａに入力した状態のクエリ／リトリーブ画面１５２が表示部１５に表示される。【選択図】図６
2011002925.tif 000002
【特許請求の範囲】
【請求項１】
医用画像を記憶するサーバと通信ネットワークを介して接続され、表示手段に表示された条件入力画面から入力された検索条件に合致する医用画像を前記通信ネットワークを介して前記サーバに問い合わせて取得する医用画像管理装置において、
操作手段と、
前記操作手段により前記サーバからの医用画像の取得の指示が入力された際に、前記表示手段に現在表示されている画面において読影対象の患者が指定されている状態であるか否かを判断し、読影対象の患者が指定されている状態であると判断した場合に、当該指定されている患者の患者情報を予め検索条件として入力した状態の前記条件入力画面を前記表示手段に表示させる制御手段と、
を備える医用画像管理装置。
【請求項２】
前記制御手段は、前記表示手段に現在表示されている画面が読影画面であるか否かを判断し、読影画面であると判断した場合に、更に当該読影画面に表示されている医用画像に共通する所定項目の情報を予め検索条件として入力した状態の前記条件入力画面を前記表示手段に表示させる請求項１に記載の医用画像管理装置。
【請求項３】
前記条件入力画面における検索条件は、前記操作手段により編集可能に構成されている請求項１又は２に記載の医用画像管理装置。
【請求項４】
医用画像を記憶するサーバと通信ネットワークを介して接続され、表示手段に表示された条件入力画面から入力された検索条件に合致する医用画像を前記通信ネットワークを介して前記サーバに問い合わせて取得する医用画像管理装置に用いられるコンピュータを、
操作手段により前記サーバからの医用画像の取得の指示が入力された際に、前記表示手段に現在表示されている画面において読影対象の患者が指定されている状態であるか否かを判断し、読影対象の患者が指定されている状態であると判断した場合に、当該指定されている患者の患者情報を予め検索条件として入力した状態の前記条件入力画面を前記表示手段に表示させる制御手段、
として機能させるためのプログラム。
【発明の詳細な説明】
【技術分野】
【０００１】
本発明は、医用画像管理装置及びプログラムに関する。
【背景技術】
【０００２】
従来、医療施設内又は医療施設間においては、ＤＩＣＯＭ（Digital Image and Communications in Medicine）規格に則って医用画像の送受信が行われている。ＤＩＣＯＭには、例えば、ある装置から外部のサーバ等に医用画像の問い合わせ及び取得要求を行って、外部のサーバ等が保持している医用画像を取得することができるＱＲ（Query/Retrieve）−ＳＣＵ（Service Class User）というサービスがある。
【０００３】
このＱＲ−ＳＣＵにより医用画像を取得する場合、まず表示部に検索条件を入力するための条件入力画面が表示される。表示された条件入力画面から医師等の操作者によりキーボード等を用いて患者情報、部位、モダリティ等の検索条件が手入力されると、入力された検索条件がサーバ等に送信され、検索条件に合致した医用画像の取得が行われる（例えば、特許文献１参照）。
【先行技術文献】
【特許文献】
【０００４】
【特許文献１】特開２００９−４２９０６号公報
【発明の概要】
【発明が解決しようとする課題】
【０００５】
ところで、例えば、医師が読影画面に読影対象の患者の医用画像を表示させた状態で外部のサーバ等から医用画像を取得しようとした場合は、同一患者の同一部位を同一のモダリティで撮影した医用画像を取得して比較読影をしようとしている場合がほとんどである。
【０００６】
しかしながら、従来の技術においては、このような場合においても毎回条件入力画面から患者情報、部位、モダリティ等を検索条件として一から入力しなければならず、操作が煩雑で手間がかかっていた。
【０００７】
本発明の課題は、外部のサーバから医用画像を取得する際に検索条件を入力する手間を低減し、読影作業を効率化することである。
【課題を解決するための手段】
【０００８】
上記課題を解決するため、請求項１に記載の発明は、
医用画像を記憶するサーバと通信ネットワークを介して接続され、表示手段に表示された条件入力画面から入力された検索条件に合致する医用画像を前記通信ネットワークを介して前記サーバに問い合わせて取得する医用画像管理装置において、
操作手段と、
前記操作手段により前記サーバからの医用画像の取得の指示が入力された際に、前記表示手段に現在表示されている画面において読影対象の患者が指定されている状態であるか否かを判断し、読影対象の患者が指定されている状態であると判断した場合に、当該指定されている患者の患者情報を予め検索条件として入力した状態の前記条件入力画面を前記表示手段に表示させる制御手段と、
を備える。
【０００９】
請求項２に記載の発明は、請求項１に記載の発明において、
前記制御手段は、前記表示手段に現在表示されている画面が読影画面であるか否かを判断し、読影画面であると判断した場合に、更に当該読影画面に表示されている医用画像に共通する所定項目の情報を予め検索条件として入力した状態の前記条件入力画面を前記表示手段に表示させる。
【００１０】
請求項３に記載の発明は、請求項１又は２に記載の発明において、
前記条件入力画面における検索条件は、前記操作手段により編集可能に構成されている。
【００１１】
請求項４に記載の発明のプログラムは、
医用画像を記憶するサーバと通信ネットワークを介して接続され、表示手段に表示された条件入力画面から入力された検索条件に合致する医用画像を前記通信ネットワークを介して前記サーバに問い合わせて取得する医用画像管理装置に用いられるコンピュータを、
操作手段により前記サーバからの医用画像の取得の指示が入力された際に、前記表示手段に現在表示されている画面において読影対象の患者が指定されている状態であるか否かを判断し、読影対象の患者が指定されている状態であると判断した場合に、当該指定されている患者の患者情報を予め検索条件として入力した状態の前記条件入力画面を前記表示手段に表示させる制御手段、
として機能させる。
【発明の効果】
【００１２】
本発明によれば、外部のサーバから医用画像を取得する際に検索条件を入力する手間を低減することができ、読影作業を効率化することが可能となる。
【図面の簡単な説明】
【００１３】
【図１】本発明の実施の形態における医用画像管理システムの全体構成を示す図である。
【図２】図１の医用画像管理装置の機能的構成を示すブロック図である。
【図３（ａ）】図２の表示部に表示される患者情報リスト画面の一例を示す図である。
【図３（ｂ）】図３（ａ）の患者情報リスト画面が開かれている状態で画像取得が指示された際に表示されるクエリ／リトリーブ画面の一例を示す図である。
【図４（ａ）】図３（ａ）の患者情報リスト画面において読影対象の患者を指定した場合の表示例を示す図である。
【図４（ｂ）】図４（ａ）に示す患者情報リスト画面の状態で画像取得が指示された際に表示されるクエリ／リトリーブ画面の一例を示す図である。
【図５（ａ）】図２の表示部に表示される読影画面の一例を示す図である。
【図５（ｂ）】図５（ａ）の読影画面が開かれている状態で画像取得が指示された際に表示されるクエリ／リトリーブ画面の一例を示す図である。
【図６】図２の制御部により実行される画像問い合わせ／取得処理を示すフローチャートである。
【図７】図６のステップＳ１０において表示される問い合わせ結果の一例を示す図である。
【発明を実施するための形態】
【００１４】
以下、図面を参照して本発明に係る実施の形態を詳細に説明する。ただし、発明の範囲は、図示例に限定されない。
【００１５】
〔医用画像管理システム１００の構成〕
図１に、本実施の形態における医用画像管理システム１００の全体構成例を示す。
図１に示すように、医用画像管理システム１００は、医用画像管理装置１、サーバ２がＬＡＮ（Local Area Network）、ＷＡＮ（Wide Area Network）、インターネット等の通信ネットワークＮを介して相互にデータの送受信が可能に接続されて構成されている。医用画像管理システム１００を構成する各装置は、ＤＩＣＯＭ（Digital Image and Communications in Medicine）規格に準じており、各装置間の通信は、ＤＩＣＯＭに則って行われる。なお、各装置の台数は、特に限定されない。
【００１６】
以下、医用画像管理システム１００を構成する各装置について説明する。
医用画像管理装置１は、医療施設内に設置されたコンピュータ装置である。医用画像管理装置１は、図示しないモダリティから送信された医用画像やサーバ２の画像ＤＢ（Data Base）に保存されている医用画像を取得して、医師の読影用に表示したり、保存したりするためのコンピュータ装置である。
【００１７】
図２に、医用画像管理装置１の機能構成例を示す。
医用画像管理装置１は、図２に示すように、制御部１１、ＲＡＭ１２、記憶部１３、操作部１４、表示部１５、通信部１６等を備えて構成されており、各部はバス１７により接続されている。
【００１８】
制御部１１は、ＣＰＵ（Central Processing Unit）等により構成され、記憶部１３に
記憶されているシステムプログラムや処理プログラム等の各種プログラムを読み出してＲＡＭ１２に展開し、展開されたプログラムに従って後述する画像問い合わせ／取得処理（図６参照）をはじめとする各種処理を実行する。
【００１９】
ＲＡＭ１２は、制御部１１により実行制御される各種処理において、記憶部１３から読み出された制御部１１で実行可能な各種プログラム、入力若しくは出力データ、及びパラメータ等の一時的に記憶する。
【００２０】
記憶部１３は、ＨＤＤ（Hard Disk Drive）や半導体の不揮発性メモリ等により構成さ
れる。記憶部１３は、前述のように各種プログラムを記憶しているほか、医用画像を診断に適した画質に調整するための画像処理パラメータ（階調処理に用いる階調曲線を定義したルックアップテーブル、周波数処理の強調度等）等を記憶している。
【００２１】
また、記憶部１３は、サーバ２や図示しないモダリティから取得された医用画像を格納するための画像ＤＢ（Data Base）１３１を記憶している。画像ＤＢ１３１は、画像ＤＢ１３１に記憶されている医用画像に関する管理情報を格納する画像管理テーブルを有している。画像管理テーブルには、例えば、各医用画像についての管理情報が１レコードとして格納される。管理情報には、ＵＩＤ（受信した医用画像に付与されているＵＩＤ）、患者情報（患者ＩＤ、患者氏名（漢字・カナ・ＡＳＣＩＩ）、年齢、性別等）、検査情報（検査ＩＤ、検査日時、モダリティ、検査部位、シリーズ情報等）、ファイル情報（画像ファイルのファイル名、ファイル格納場所、更新日付、ファイルサイズ等）が含まれる。本実施の形態において、医用画像には、その医用画像に関する患者情報、検査情報等の付帯情報が付帯されていることとする。
また、記憶部１３は、医療施設内の受付装置（図示せず）から適宜送信される患者情報のリスト（患者情報リスト１３２）を記憶している。患者情報リスト１３２は、当日に来院した患者についての診療日、受付時間、受付番号、診療料、担当医、患者ＩＤ、患者氏名（漢字・カナ・ＡＳＣＩＩ）、性別、生年月日、年齢といった患者情報のリストである。
【００２２】
操作部１４は、カーソルキー、数字入力キー、及び各種機能キー等を備えたキーボードと、マウス等のポインティングデバイスを備えて構成され、キーボードで押下操作されたキーの押下信号とマウスによる操作信号とを、入力信号として制御部１１に出力する。
【００２３】
表示部１５は、例えば、ＣＲＴ（Cathode Ray Tube）やＬＣＤ（Liquid Crystal Display）等のモニタを備えて構成されており、制御部１１から入力される表示信号の指示に従って、各種画面を表示する。
【００２４】
例えば、表示部１５には、操作部１４から入力される指示に応じて、読影対象の患者を指定するための患者情報リスト画面１５０が表示される。図３（ａ）に、患者情報リスト画面１５０の一例を示す。図３（ａ）に示すように、患者情報リスト画面１５０には、患者リスト欄６０、詳細情報表示欄６１、「読影画面」ボタン６２、「画像取得」ボタン６３等が設けられている。
患者リスト欄６０は、記憶部１３に記憶されている患者情報リスト１３２が表示される領域である。患者リスト欄６０に表示されたリストの中から操作部１４により読影対象の患者が指定されると、図４（ａ）に示すように、指定された患者の患者情報の詳細が詳細情報表示欄６１に表示される。
「読影画面」ボタン６２は、患者リスト欄６０の中から指定された患者の読影画面１５１に遷移することを指示するためのボタンである。「画像取得」ボタン６３は、サーバ２への画像の問い合わせ及び取得（Query／Retrieve）を指示するためのボタンである。操作部１４により「画像取得」ボタン６３が押下されると、後述する画像問い合わせ／取得処理が実行され、サーバ２から医用画像が取得される。
【００２５】
図５（ａ）に、読影画面１５１の一例を示す。読影画面１５１は、患者情報リスト画面１５０で指定された読影対象の患者の医用画像を表示し、医師が読影診断を行うための画面である。即ち、読影画面１５１においては、必ず読影対象の患者が指定されている状態となっている。図５（ａ）に示すように、読影画面１５１には、患者表示欄７１、「画像取得」ボタン７２、画像表示欄７３ａ〜７３ｄ等が設けられている。患者表示欄７１は、読影対象として指定されている患者の患者ＩＤ及び患者氏名を表示する領域である。この患者表示欄７１の内容により、現在どの患者が読影対象となっているかを医師等が視認できる。画像表示欄７３ａ〜７３ｄは、読影対象の患者の医用画像を表示する領域である。画像表示欄７３ａ〜７３ｄには、図示しないモダリティから送信されてきた医用画像、サーバ２から取得された医用画像、画像ＤＢ１３１から読み出された医用画像等が表示される。例えば、操作部１４により「画像取得」ボタン７２が押下されると、後述する画像問い合わせ／取得処理が実行され、サーバ２から取得された医用画像が画像表示欄７３ａ〜７３ｄの空いている欄に表示される。
【００２６】
通信部１６は、ネットワークインターフェース等により構成され、スイッチングハブを介して通信ネットワークＮに接続されたサーバ２等の外部機器との間でデータの送受信を行う。
【００２７】
サーバ２は、医用画像を格納するための画像ＤＢ２０を備えている。画像ＤＢ２０は、画像ＤＢ２０に記憶されている医用画像に関する管理情報を格納する画像管理テーブルを有している。画像管理テーブルには、上述の画像ＤＢ１３１と同様に、各医用画像についての管理情報が１レコードとして格納される。管理情報には、ＵＩＤ、患者情報、検査情報、ファイル情報等が含まれる。
サーバ２は、医用画像管理装置１からの画像の問い合わせに応じて、医用画像管理装置１から送信される検索条件に合致した医用画像を画像ＤＢ２０から検索してそのリストデータを問い合わせ結果として医用画像管理装置１に送信する。また、医用画像管理装置１から取得要求のあった医用画像を読み出して取得要求元の装置に送信する。このときの医用画像の問い合わせ、取得要求は、例えば、ＤＩＣＯＭ規格のサービスの一つであるＱＲ−ＳＣＵにより行われる。
なお、サーバ２は、医用画像管理装置１が設置されている医療施設と同じ施設に設置されていてもよいし、地域のデータセンタ等の外部の施設に設置されていてもよい。
【００２８】
〔医用画像管理装置１の動作〕
次に、医用画像管理装置１の動作について説明する。
図６に、医用画像管理装置１において実行される画像問い合わせ／取得処理のフローチャートを示す。画像問い合わせ／取得処理は、操作部１４によりサーバ２からの画像取得が指示された際に、制御部１１と記憶部１３に記憶されているプログラムとの協働により実行される。サーバ２からの画像取得の指示は、上述の患者情報リスト画面１５０からの「画像取得」ボタン６３の押下、又は読影画面１５１からの「画像取得」ボタン７２の押下等により行うことができる。
【００２９】
まず、表示部１５に表示されている画面において、読影対象の患者が指定されている状態であるか否かが判断される（ステップＳ１）。例えば、表示部１５に患者情報リスト画面１５０が表示されており、その患者情報リスト画面１５０において患者リスト欄６０から操作部１４により読影対象の患者が指定されている状態である場合（図４（ａ）参照）、又は、読影画面１５１が表示されている状態である場合（図５（ａ）参照）、読影対象の患者が指定されている状態であると判断される。
【００３０】
ステップＳ１において、読影対象の患者が指定されている状態であると判断されると（ステップＳ１；ＹＥＳ）、表示部１５に表示されている画面が読影画面１５１であるか否かが判断される（ステップＳ２）。表示部１５に表示されている画面が読影画面１５１であると判断されると（ステップＳ２；ＹＥＳ）、読影画面１５１に医用画像が表示されているか否かが判断される（ステップＳ３）。読影画面１５１に医用画像が表示されていると判断されると（ステップＳ３；ＹＥＳ）、表示されている医用画像の付帯情報が取得され、表示された全ての医用画像に共通する所定項目の情報が予め検索条件に入力された状態のクエリ／リトリーブ画面１５２が表示され（ステップＳ４）、処理はステップＳ７に移行する。
【００３１】
図５（ｂ）に、ステップＳ４において表示されるクエリ／リトリーブ画面１５２の一例を示す。図５（ｂ）に示すクエリ／リトリーブ画面１５２は、図５（ａ）に示す状態、即ち、ＣＲにより撮影された胸部正面画像が２枚表示されている状態の読影画面１５１において画像取得が指示された場合に表示されるクエリ／リトリーブ画面１５２の一例を示している。クエリ／リトリーブ画面とは、サーバ２から画像取得を行う際に、患者情報、モダリティ、部位等の検索条件を入力して、この検索条件に合致する医用画像がサーバ２に存在するか否かの問い合わせ（Query）及び画像取得（Retrieve）を行う画面である。図５（ｂ）に示すように、クエリ／リトリーブ画面１５２には、検索条件を入力するための条件入力欄１５２ａ、サーバ２からの問い合わせの結果を表示するための問い合わせ結果表示欄１５２ｂが設けられている。操作部１４により、条件入力欄１５２ａに検索条件が入力され、「問い合わせ」ボタン１５２ｃが押下されて問い合わせの実行が指示されると、サーバ２に対し、入力された検索条件に合致する医用画像が存在するか否かの問い合わせが行われる。
【００３２】
読影画面１５１は、上述のように、読影対象として指定された患者の医用画像を表示する画面である。そのため、医師が読影を行う場合には、同一患者についての同一部位を同一モダリティで撮影した医用画像を複数並べて比較読影することが多い。即ち、読影画面１５１から画像取得を指示した場合、医師は、既に表示している医用画像と同一患者についての同一部位を同じモダリティで撮影した医用画像を取得しようとしている場合がほとんどである。そこで、ステップＳ４においては、画像表示欄７３ａ〜７３ｄに表示されている医用画像の付帯情報を取得し、表示されている医用画像の全てに共通する情報のうち所定項目（例えば、患者情報、モダリティ、部位等）の情報を取得し、この共通情報をクエリ／リトリーブ画面１５２の条件入力欄１５２ａにプリセットして表示する。例えば、図５（ａ）の読影画面１５１では、読影対象として指定された患者である「田中一郎」の「ＣＲ」により撮影された「胸部正面画像」が２枚表示されているので、患者情報、モダリティ、部位の情報がそれぞれ「田中一郎」「ＣＲ」「胸部」で共通している。よって、これらの情報が条件入力欄１５２ａに予め入力された状態のクエリ／リトリーブ画面１５２が表示される。これにより、医師がわざわざ患者や部位等を条件入力欄１５２ａに入力する手間が省け、操作性、利便性が向上し、読影作業を効率化することができる。なお、読影画面１５１は、読影対象として指定された患者の医用画像を表示するものであるから、患者情報は最低限共通する。また、表示されている医用画像が１枚である場合は、表示されている医用画像の付帯情報のうち予め定められた項目の情報、例えば、患者情報、部位、モダリティ等が共通情報としてプリセットされる。
【００３３】
ステップＳ２において、表示部１５に表示されている画面が読影画面１５１ではないと判断された場合（ステップＳ２；ＮＯ）、又は、ステップＳ３において読影画面１５１に医用画像が表示されていないと判断された場合（ステップＳ３；ＮＯ）、読影対象として指定されている患者の患者情報が条件入力欄１５２ａに予め入力された状態のクエリ／リトリーブ画面１５２が表示部１５に表示され（ステップＳ５）、処理はステップＳ７に移行する。
【００３４】
図４（ｂ）に、ステップＳ５において表示されるクエリ／リトリーブ画面１５２の一例を示す。図４（ｂ）に示すクエリ／リトリーブ画面１５２は、図４（ａ）に示す、読影対象の患者が指定されている状態の患者情報リスト画面１５０上から画像取得が指示された場合に表示されるクエリ／リトリーブ画面１５２の一例を示している。
患者情報リスト画面１５０等において読影対象の患者が指定されている場合、医師はその患者について医用画像を取得しようとしているといえる。そこで、ステップＳ５においては、図４（ｂ）に示すように、指定されている患者の患者情報をクエリ／リトリーブ画面１５２の条件入力欄１５２ａにプリセットして表示する。これにより、医師がわざわざ患者情報等を条件入力欄１５２ａに入力する手間が省け、操作性、利便性が向上し、読影作業を効率化することができる。
また、読影画面１５１において医用画像が表示されていない場合についても同様に、読影対象として指定されている患者の患者情報がクエリ／リトリーブ画面１５２の条件入力欄１５２ａに予め入力された状態で表示される。
【００３５】
一方、ステップＳ１において、読影対象の患者が指定されている状態ではないと判断されると（ステップＳ１；ＮＯ）、条件入力欄１５２ａに検索条件が何も入力されていない状態のクエリ／リトリーブ画面１５２が表示部１５に表示され（ステップＳ６）、処理はステップＳ７に移行する。
【００３６】
図３（ｂ）に、ステップＳ６において表示されるクエリ／リトリーブ画面１５２の一例を示す。図３（ｂ）に示すクエリ／リトリーブ画面１５２は、図３（ａ）に示す状態の、即ち、読影対象の患者が指定されていない状態の患者情報リスト画面１５０において画像取得が指示された場合に表示されるクエリ／リトリーブ画面１５２を示している。この場合、読影対象の患者がまだ特定されていないため、条件入力欄１５２ａへの検索条件のプリセットはされない。
【００３７】
図６に戻り、ステップＳ７においては、操作部１４による条件入力欄１５２ａの検索条件の編集（検索条件の追加、変更、削除）が受け付けられる（ステップＳ７）。検索条件の編集が終了し、操作部１４による「問い合わせ」ボタン１５２ｃの押下により問い合わせの実行が指示されると（ステップＳ８；ＹＥＳ）、通信部１６により条件入力欄１５２ａに入力された検索条件がサーバ２に送信され、当該検索条件に合致した医用画像がサーバ２に存在するか否かの問い合わせが行われる（ステップＳ９）。サーバ２においては、医用画像管理装置１から送信された検索条件に合致した医用画像を画像ＤＢ２０から検索してそのリストデータ（問い合わせ結果）を医用画像管理装置１に送信する。
【００３８】
通信部１６によりサーバ２からのリストデータが受信されると、受信されたリストデータがクエリ／リトリーブ画面１５２の問い合わせ結果表示欄１５２ｂに表示される（ステップＳ１０）。
図７に、クエリ／リトリーブ画面１５２の問い合わせ結果表示欄１５２ｂに検索条件に合致した医用画像のリストが表示された例を示す。図７に示す検査情報リスト１５２ｂ−１は、検索条件に合致した医用画像の検査情報を示したリストである。シリーズ情報リスト１５２ｂ−２は、検索条件に合致した医用画像のシリーズ情報を示したリストである。
【００３９】
問い合わせ結果表示欄１５２ｂに表示されたリストから操作部１４により検査情報又はシリーズ情報が選択されることにより医用画像が選択され、「取得」ボタン１５２ｄが押下されると（ステップＳ１１）、選択された医用画像の取得要求が通信部１６を介してサーバ２に送信される（ステップＳ１２）。サーバ２においては、医用画像管理装置１から取得要求のあった医用画像を読み出して医用画像管理装置１に送信する。
【００４０】
通信部１６によりサーバ２から医用画像が取得されると、操作部１４からの操作に応じて、取得された医用画像が読影画面１５１に表示され（ステップＳ１３）、画像問い合わせ／取得処理は終了する。
【００４１】
なお、サーバ２から取得された医用画像については、その付帯情報の患者情報と医用画像管理装置１で取り扱われている患者情報との整合性がチェックされる。サーバ２から取得された医用画像の患者情報が医用画像管理装置１で管理している患者情報と異なる場合、例えば、患者の名前の漢字の登録が一部異なっていたり、文字のコード体系が異なっていたりする場合は、一度名称未確定の医用画像として取り込まれ、その後、ユーザの操作によって正しい患者情報に割り付けられる。これにより、医用画像管理装置１におけるデータの整合性が確保される。
【００４２】
以上説明したように、本実施の形態における医用画像管理装置１によれば、操作部１４によりサーバ２から医用画像を取得する指示が入力された際に、制御部１１により、表示部１５に現在表示されている画面において読影対象の患者が指定されている状態であるか否かが判断され、読影対象の患者が指定されている状態であると判断された場合に、当該指定されている患者の患者情報を予め検索条件として条件入力欄１５２ａに入力した状態のクエリ／リトリーブ画面１５２が表示部１５に表示される。
【００４３】
従って、読影対象の患者が予め指定されている場合に、クエリ／リトリーブ画面１５２から再度患者情報を検索条件として入力する手間を省くことができ、利便性が向上する。また、読影作業を効率化することができる。
【００４４】
また、表示されている画面が読影画面１５１である場合には、読影画面１５１に表示されている医用画像に共通する所定項目の情報を予め検索条件として入力した状態のクエリ／リトリーブ画面１５２が表示されるので、表示されている医用画像と同一患者の同一部位の同一のモダリティにより撮影された医用画像をサーバ２から取得して比較読影したい場合に、クエリ／リトリーブ画面１５２から再度患者情報、部位、モダリティ等を検索条件として入力する手間を省くことができ、利便性が向上する。また、読影作業を効率化することができる。
【００４５】
また、クエリ／リトリーブ画面１５２の検索条件は操作部１４により編集可能に構成されているので、例えば、読影画面に同じ症例の異なる患者の医用画像を表示して参照したいような場合には、プリセットされた患者情報を変更して所望の患者の医用画像を取得することも可能である。
【００４６】
なお、上記実施の形態における記述内容は、本発明の好適な一例であり、これに限定されるものではない。
【００４７】
例えば、表示されている医用画像に共通する情報のうち、検索条件にプリセットされる項目は、ユーザの操作に応じて設定できるようにしてもよい。
【００４８】
また、上記の説明では、本発明に係るプログラムのコンピュータ読み取り可能な媒体としてＨＤＤや半導体の不揮発性メモリ等を使用した例を開示したが、この例に限定されない。その他のコンピュータ読み取り可能な媒体として、ＣＤ-ＲＯＭ等の可搬型記録媒体を適用することが可能である。また、本発明に係るプログラムのデータを通信回線を介して提供する媒体として、キャリアウエーブ(搬送波)も適用される。
【００４９】
その他、医用画像管理システム１００を構成する各装置の細部構成及び細部動作に関しても、発明の趣旨を逸脱することのない範囲で適宜変更可能である。
【符号の説明】
【００５０】
１００  医用画像管理システム
１  医用画像管理装置
２  サーバ
２０  画像ＤＢ
１１  制御部
１２  ＲＡＭ
１３  記憶部
１３１  画像ＤＢ
１３２  患者情報リスト
１４  操作部
１５  表示部
１５０  患者情報リスト画面
１５１  読影画面
１５２  クエリ／リトリーブ画面
１６  通信部
１７  バス
６０  患者リスト欄
６１  詳細情報表示欄
６２  「読影画面」ボタン
６３  「画像取得」ボタン
７１  患者表示欄
７２  「画像取得」ボタン
７３ａ〜７３ｄ  画像表示欄
１５２ａ  条件入力欄
１５２ｂ  問い合わせ結果表示欄
１５２ｂ−１  検査情報リスト
１５２ｂ−２  シリーズ情報リスト
１５２ｃ  「問い合わせ」ボタン
Ｎ  通信ネットワーク  
【図１】
2011002925.tif 000003
【図２】
2011002925.tif 000004
【図３（ａ）】
2011002925.tif 000005
【図３（ｂ）】
2011002925.tif 000006
【図４（ａ）】
2011002925.tif 000007
【図４（ｂ）】
2011002925.tif 000008
【図５（ｂ）】
2011002925.tif 000009
【図６】
2011002925.tif 000010
【図７】
2011002925.tif 000011
【図５（ａ）】
2011002925.tif 000012